(57)【特許請求の範囲】
【請求項１】
警報器とガスメータとから構成されるガス遮断装置において、
前記警報器は、
複数の検出閾値を備え、検出されるガスの検出値を複数の前記検出閾値に基づく段階的なレベルに応じた出力信号として出力するガス検出手段と、
前記ガス検出手段の前記出力信号を前記ガスメータに送信する警報器送信手段と、
前記ガスメータ内のガスメータ送信手段からのガス漏れ検出信号を受信する警報器受信手段と、
前記警報器受信手段が受信した前記ガス漏れ検出信号により前記検出閾値を変更するガス検出閾値変更手段と、
前記ガス漏れ検出信号によりガス検出時間を変更するガス検出時間変更手段と
を備え、
前記ガスメータは、
ガスの供給と遮断を行う遮断手段と、
前記警報器から送信される前記出力信号を受信するガスメータ受信手段と、
前記ガスメータ受信手段から送信される前記出力信号を処理するガスメータ制御手段と、
ガス流量を検出するガス流量検出手段と、
前記ガス流量検出手段が検出する前記ガス流量からガス漏れを検出するガス漏れ検出手段と、
前記ガス漏れ検出手段によりガス漏れを検出した場合に、前記ガス漏れ検出信号を前記警報器に送信する前記ガスメータ送信手段と
を備え、
前記ガス漏れ検出手段によりガス配管内のガス漏れを検出した場合は、ガス漏れ検出信号を前記ガスメータ送信手段と前記警報器受信手段を介して前記ガス検出閾値変更手段に送信し、前記ガス検出閾値変更手段は前記ガス検出手段の前記検出閾値を下げ、低い前記検出閾値による前記ガス検出手段の前記出力信号と、
前記警報器受信手段が受信した前記ガスメータからの前記ガス漏れ検出信号により、前記ガス検出時間変更手段は前記ガス検出手段の前記ガス検出時間を短くし、短いガス検出時間の前記ガス検出手段の前記出力信号と、
に基づき、ガスを遮断することを特徴とする、
ガス遮断装置。
【発明の詳細な説明】
【技術分野】
【０００１】
本発明は、微少量のガス漏れが発生した場合でも、ガスメータの遮断弁を閉じてガス漏れを防止し安全性を高めるための技術に関するものである。
【背景技術】
【０００２】
従来、この種のガス遮断装置としては、ガスを検出する検出手段９と複数の検出閾値を備えるとともに検出レベルがそれぞれの閾値以上あるいは閾値未満になるとレベルに応じた信号を出力する検出信号送信手段とを備えた複数の警報器７と、ガスの供給や遮断を行う遮断手段３と、警報器７からの信号を入力する検出信号受信手段５と、検出信号受信手段５からの出力信号を処理する制御手段２と流量を検出する流量検出手段４とで構成されたガス遮断装置１を備え、ガス遮断装置１の制御手段２は複数の警報器７からの出力信号がそれぞれ遮断信号でない場合においても、複数の警報器７からの検出レベルの組み合わせに応じて、遮断手段３に信号を出力しガスを遮断するようにしたものである。
【０００３】
すなわち、複数の警報器からの検出レベルの組み合わせに応じてガス遮断を判定するようにしたもので、個々の警報器の警報レベルに至るまでの低濃度の状態でも、複数箇所で同時にガスの濃度が上がった場合には、ガスを遮断するものである（例えば、特許文献１参照）。
【０００４】
図６は、特許文献１に記載された従来のガス遮断装置を示すものである。図６に示すように、ガス遮断装置１は、制御手段２と、遮断手段３と、流量検出手段４と、検出信号受信手段とを備え、警報器７は、警報器制御手段６と、検出信号送信手段８と、検出手段９と、警報器出力手段１０とを備えた構成である。
【０００５】
また、別のガス遮断装置は、複数の警報器１７とガス遮断装置１１との間の情報の送受信において、新しいガス器具の使用を検出し、器具判別手段２１から新器具検出信号を出力し、その信号を警報器制御手段１６に入力すると、警報器制御手段１６は判定値変更信号に応じて警報器１７のガス漏洩判定値を下げる方向に変更するようにしたものであり、ガスメータが有する流量情報を用いた器具判別機能によって、新しいガス器具の使用を検出すると、警報器のガス漏れ判定値を下げる方向に検出感度を高め、新しい器具の追加時に発生し易いガス漏れ等の危険を迅速に検出可能とすることで、安全性を確保するものである（例えば、特許文献２参照）。
【０００６】
図７は、特許文献２に記載された従来のガス遮断装置を示すものである。図７に示すように、ガス遮断装置１１は、制御手段１２と、遮断手段１３と、流量検出手段１４と、ガスメータ送受信手段１５と、判定値変更手段１５ａと警報信号受信手段を有する警報器制御手段と器具判別手段２１を備えており、警報器１７は、判定値変更信号受信手段１８ａと警報信号送信手段１８ｂを有する警報器送信手段１８と、検出手段１９と、警報器出力手段２０を備えており、また、ガス遮断装置１１は外部から器具情報が入力可能な器具情報入力手段２２に接続されている。
【０００７】
また、一般的にガスメータは、マイコンメータ等により内管漏洩検知機能を搭載し、微少なガス流量を長期間検出した場合はガスメータに警告表示をおこなうもののガスを遮断しない仕様となっている。
【先行技術文献】
【特許文献】
【０００８】
【特許文献１】特開２００８−２３４５４０号公報
【特許文献２】特開２００９−１６８５９１号公報
【発明の概要】
【発明が解決しようとする課題】
【０００９】
しかしながら、前記従来のガス遮断装置の構成では、複数の警報器がある場合に有効であり、１つしか警報器を設置していない家では複数箇所で同時にガスの濃度が上がっていくような重大な問題が発生した場合への対応、また、ガス器具の追加がなく、新しいガス器具の使用の検出がない場合においても、早期にガス漏れを検出するという観点からは未だ改良の余地があった。
【００１０】
本発明は前記従来の課題に鑑みてなされたものであり、複数の検出閾値を有する警報器とガス配管のガス漏洩検出機能を有するガスメータとを組み合わせて、ガスメータがガス配管のガス漏洩検出した場合には、警報器の検出閾値を下げて感度を高め、ガスを遮断するガス遮断装置を提供することを目的とする。
【課題を解決するための手段】
【００１１】
前記従来の課題を解決するために、本発明のガス遮断装置は、複数の検出閾値を備え、検出されるガスの検出値を複数の閾値に基づく段階的なレベルに応じた信号として出力するガス検出手段と、ガス検出手段の出力信号をガスメータに送信する警報器送信手段と、ガスメータ送信手段からのガス漏れ検出信号を受信する警報器受信手段と、警報器受信手段が受信したガス漏れ検出信号により検出閾値を変更するガス検出閾値変更手段とを
備えた警報器と、ガスの供給と遮断を行う遮断手段と、警報器から送信される出力信号を受信するガスメータ受信手段と、ガスメータ受信手段から送信される出力信号を処理するガスメータ制御手段と、ガスメータを流れるガス流量を検出するガス流量検出手段と、ガス流量検出手段が検出するガス流量からガス配管内のガス漏れを検出するガス漏れ検出手段と、ガス漏れ検出手段によりガス漏れを検出した場合に、ガス漏れ検出信号を警報器に送信するガスメータ送信手段を備えたガスメータとを含み、ガス漏れ検出手段によりガス配管内のガス漏れを検出した場合は、ガス漏れ検出信号をガスメータ送信手段と警報器受信手段を介してガス検出閾値変更手段に送信し、ガス検出閾値変更手段はガス検出手段の検出閾値を下げ、低い検出閾値によるガス検出手段の出力信号に基づき、ガスを遮断するものである。
【００１２】
これにより、１つしか警報器を設置していない家や新しいガス器具の使用の検出がない場合でもガスメータがガス漏れ検出時には、警報器が低いガス検出閾値でガスを検出することができ、早期にガス漏れを検出することが可能となる。
【発明の効果】
【００１３】
本発明のガス遮断装置によると、１つしか警報器を設置していない家では複数箇所で同時にガスの濃度が上がっていくような重大な問題が発生した場合、危険な状態になる前にガス漏れの検出が可能である。また、ガス器具の追加がなく、新しいガス器具の使用の検出がない場合にも、ガスメータでのガス漏れ検出と警報器のガス漏れ検出を組み合わせることで早期にガス漏れを検出することが可能となる。
【図面の簡単な説明】
【００１４】
【図１】本発明の実施の形態１、２におけるガス遮断装置のブロック図
【図２】本発明の実施の形態１におけるガスメータ制御手段のフローチャート
【図３】本発明の実施の形態２におけるガス検出閾値変更手段の制御のフローチャート
【図４】本発明の実施の形態３におけるガス遮断装置のブロック図
【図５】本発明の実施の形態４におけるガス遮断装置のブロック図
【図６】従来のガス遮断装置のブロック図
【図７】従来のガス遮断装置のブロック図
【発明を実施するための形態】
【００１５】
第１の発明は、複数の検出閾値を備え、検出されるガスの検出値を複数の前記検出閾値に基づく段階的なレベルに応じた出力信号として出力するガス検出手段と、前記ガス検出手段の前記出力信号をガスメータに送信する警報器送信手段と、前記ガスメータ送信手段からの前記ガス漏れ検出信号を受信する警報器受信手段と、前記警報器受信手段が受信した前記ガス漏れ検出信号により前記検出閾値を変更するガス検出閾値変更手段とを備えた警報器と、ガスの供給と遮断を行う遮断手段と、前記警報器から送信される前記出力信号を受信するガスメータ受信手段と、前記ガスメータ受信手段から送信される前記出力信号を処理するガスメータ制御手段と、ガス流量を検出するガス流量検出手段と、前記ガス流量検出手段が検出する前記ガス流量からガス漏れを検出するガス漏れ検出手段と、前記ガス漏れ検出手段によりガス漏れを検出した場合に、ガス漏れ検出信号を前記警報器に送信するガスメータ送信手段を備えたガスメータとを含み、前記ガス漏れ検出手段によりガス配管内のガス漏れを検出した場合は、ガス漏れ検出信号を前記ガスメータ送信手段と前記警報器受信手段を介して前記ガス検出閾値変更手段に送信し、前記ガス検出閾値変更手段は前記ガス検出手段の前記検出閾値を下げ、低い前記検出閾値による前記ガス検出手段の前記出力信号に基づき、ガスを遮断することを特徴とするものである。
【００１６】
これによって、ガスメータのガス漏れ検出手段によりガス配管内のガス漏れを検出した際に警報器は低い検出閾値でガスを検出しやすくすることで、早期にガス漏れを検出し、ガスを遮断することが可能となる。
【００１８】
これによって、ガスメータ送信手段と警報器受信手段により警報器にガス漏れを検出したことを知らせて警報器の検出閾値を下げてガスを検出しやすくすることで、早期にガス漏れを検出することが可能となる。
【００１９】
第２の発明は、特に、第２の発明において、前記警報器は、ガス検出時間を変更すガス検出時間変更手段を備え、前記警報器受信手段が受信した前記ガスメータからの前記ガス漏れ検出信号により、前記ガス検出時間変更手段は前記ガス検出手段の前記ガス検出時間を短くし、短い前記ガス検出時間の前記ガス検出手段の前記出力信号に基づき、ガスを遮
断するものである。
【００２０】
これによって、ガス検出時間変更手段により警報器にガス漏れを検出したことを知らせてガス検出時間を短くしてガスを検出しやすくすることで、早期にガス漏れを検出することが可能となる。
【００２５】
以下、本発明の実施の形態について、図面を参照しながら説明する。なお、この実施の形態によって本発明が限定されるものではない。また、各実施の形態の説明において、同一構成並びに同一作用効果を奏するところには、同一符号を付して重複した説明を行わないものとする。
【００２６】
（実施の形態１）
図１は本発明の実施の形態１におけるガス遮断装置のブロック図であり、図２は本発明の実施の形態１におけるガスメータ制御手段のフローチャートである。
【００２７】
図１において、ガスメータ３０は、遮断手段３１と、ガスメータ制御手段３２と、ガス漏れ検出手段３３と、ガスメータ送信手段３４と、ガスメータ受信手段３５と、ガス流量検出手段３６とを備えたものである。また、警報器４０は、警報器送信手段４１と、警報器受信手段４２と、ガス検出手段４４と、ガス検出閾値変更手段４３とを備えたものである。
【００２８】
ガスメータ３０を構成する遮断手段３１は、弁の閉または開の動作を行う手段で弁を閉じてガスを遮断したり、弁を開けてガスを供給したりすることができる。ガスメータ受信手段３５は、警報器４０からの複数の検出閾値の検出レベルに応じた出力信号を受信する手段である。ガス流量検出手段３６は、ガスメータ３０を流れるガス流量を検出する手段である。ガス漏れ検出手段３３は、前記ガス流量検出手段３６が検出したガス流量の使用状況に応じてガス器具がガスを使用しているのか、異常使用されていないか、ガス配管からガス漏れしていないか等々の検出をおこなう。
【００２９】
ガスメータ制御手段３２は、前記ガスメータ受信手段３５が受信した警報器４０が備える複数の検出閾値の検出レベルに応じた出力信号と、前記ガス漏れ検出手段３３からのガス漏れ検出状態の有無から、ガス漏れを判定し遮断手段３１へ遮断指示を出す。ガスメータ送信手段３４は、ガスメータ３０のガス漏れ検出手段３３がガス漏れを検出した場合に警報器受信手段４２にガスメータ３０がガス漏れ検出信号を送信する手段である。
【００３０】
警報器４０を構成する、ガス検出手段４４は、空気中のガス濃度を測定し複数の検出閾値の検出レベルに応じた出力信号を警報器送信手段４１に伝える。警報器送信手段４１は、ガス検出手段４４により検出した複数の検出閾値の検出レベルに応じた出力信号をガスメータ受信手段３５に送信する。警報器受信手段４２は、ガスメータ送信手段３４よりガスメータ３０がガス漏れを検出したガス漏れ検出信号を受信する手段である。ガス検出閾値変更手段４３は、ガス検出手段４４が検出するガス濃度の検出レベルを変更する手段である。
【００３１】
以上のように構成されたガス遮断装置について、以下器具の特徴抽出処理に関して、その動作について説明する。
【００３２】
まず、警報器４０は、ガス検出手段４４により空気中のガスの濃度を測定する。ガス検出手段４４には予め複数の検出閾値が記憶されており、複数の検出閾値として例えば低レベルから、Ｎ１、Ｎ２、Ｎ３が設定されている場合、検出値がＮ１以上でＮ２未満の範囲であればＬ１の信号を警報器送信手段４１に出力信号を送信し、検出値がＮ２以上でＮ３未満の範囲であればＬ２の出力信号を警報器送信手段４１に送信する。このように、ガス検出手段４４は複数のガス検出閾値に基づき段階的なレベルに応じた出力信号として警報器送信手段４１に送信する。警報器送信手段４１は、複数の検出レベルに応じた出力信号をガスメータ３０のガスメータ受信手段３５に送信する。
【００３３】
ガスメータ受信手段３５は、警報器４０より受信したガス検出閾値の検出レベルに応じた出力信号をガスメータ制御手段３２に伝える。一方、ガスメータ３０のガス漏れ検出手段３３は、ガス流量検出手段３６から伝えられたガス流量と使用時間等の情報からガス配管内のガス漏れを検出した場合にガスメータ制御手段３２に伝える。
【００３４】
ガスメータ制御手段３２は、警報器４０より受信した出力信号をガス漏れ検出手段３３のガス漏れ未検知時とガス漏れ検知時の検出レベルの信号を区別する。例えば、ガス漏れ未検知時は高いレベルの前記Ｌ２の出力信号を、ガス漏れ検知時は低いレベルの前記Ｌ１の出力信号を受信したときに、出力信号が判定レベルを超えたとして遮断手段３１へ弁遮断の信号を出力しガスを遮断する。
【００３５】
上記本実施の形態におけるガス遮断装置の動作を、図２に示すガスメータ制御手段３２の制御のフローチャートで説明する。まず、ガス漏れ検出手段３３によりガスメータ３０でのガス漏れがあるかどうかの判定をおこなう（Ｓ１）。
【００３６】
ガス漏れがある場合は警報器４０の検出閾値の低い出力信号Ｌ１が対応するガス検出感度「高」での判定を選択（Ｓ２）し、ガス漏れがない場合は警報器４０の検出閾値の高い出力信号Ｌ２が対応するガス検出感度「低」での判定を選択（Ｓ３）する。（Ｓ２）、（Ｓ３）で選択した感度で警報器４０のガス漏れ検出があるかどうかの判定を行う（Ｓ４）。（Ｓ４）でガス漏れがあると判定された場合はガス遮断信号を出力（Ｓ５）する。ガス漏れがないと判定された場合は、そのままスキップする。
【００３７】
このように、ガスメータ３０のガス漏れ検出手段３３によりガス配管内のガス漏れを検出した際に警報器４０は低い検出閾値でガスを検出しやすくすることで、早期にガス漏れを検出することが可能となる。
【００３８】
（実施の形態２）
図３はガス検出閾値変更手段の制御のフローチャートである。
【００３９】
本実施の形態の構成は、図１に示す実施の形態１と同じ構成であるが、実施の形態１とは制御のフローが異なっている。
【００４０】
まず、ガス漏れ検出手段３３は、ガス流量検出手段３６から伝えられたガス流量と使用時間等の情報からガス配管内のガス漏れを検出した場合、ガス漏れ検出信号をガスメータ制御手段３２に伝える。ガスメータ制御手段３２は、ガスメータ送信手段３４にガス漏れ検出信号を伝える。ガスメータ送信手段３４は警報器４０の警報器受信手段４２にガス漏れ検出信号を送信する。
【００４１】
警報器４０の警報器受信手段４２は、ガスメータ３０が検出したガス漏れ検出信号をガス検出閾値変更手段４３に伝える。
【００４２】
ガス検出閾値変更手段４３は、ガス漏れ検出信号に基づき、ガス漏れを検出した場合に対応するために予め設定された検出閾値のレベルを下げる。例えば、ガス漏れ未検出時に、ガス検出手段４４の検出閾値としてＮ１、Ｎ２、Ｎ３が設定されており、ガス濃度の検出値がＮ１以上でＮ２未満の範囲であればＬ１の出力信号を警報器送信手段４１に送信し、検出値がＮ２以上でＮ３未満の範囲であればＬ２の出力信号を警報器送信手段４１に送信するように設定されている場合、ガス検出閾値変更手段４３はガス検出手段４４の検出閾値のレベルを下げたＮ１ｄ、Ｎ２ｄ、Ｎ３ｄに変更し、ガス濃度の検出値がＮ１ｄ以上でＮ２ｄ未満の範囲であればＬ１ｄの出力信号を警報器送信手段４１に送信し、検出値がＮ２ｄ以上でＮ３ｄ未満の範囲であればＬ２ｄの信号を警報器送信手段４１に出力信号を送信するように設定が変更される。
【００４３】
ガス検出手段４４は、ガスの濃度を測定し警報器送信手段４１より出力信号をガスメータ３０のガスメータ受信手段３５に送信する。
【００４４】
ガスメータ受信手段３５は、警報器４０より受信した検出閾値の検出レベルに応じた出力信号をガスメータ制御手段３２に伝える。ガスメータ制御手段３２は受信した出力信号が判定レベルを超えていれば遮断手段３１へ弁遮断の信号を出力しガスを遮断する。
【００４５】
上記本実施の形態におけるガス遮断装置の動作を図２に示すガス検出閾値変更手段４３の制御のフローチャートを説明する。まず、警報器受信手段４２よりガスメータ３０がガス漏れ検出の信号を受信したかどうかの判定を行う（Ｓ１０）。  警報器受信手段４２よりガスメータ３０がガス漏れ検出の信号を受信した場合は、検出閾値の低いガス検出感度を「高」に設定する（Ｓ１１）。ガス漏れ検出の信号を受信しなかった場合は、検出閾値の高いガス検出感度を「低」に設定する（Ｓ１２）。
【００４６】
このように、ガスメータ３０のガス漏れ検出手段３３によりガス配管内のガス漏れを検出した際に警報器４０は低い検出閾値でガスを検出しやすくすることで、早期にガス漏れを検出することが可能となる。
【００４７】
（実施の形態３）
図４は、本発明の実施の形態３におけるガス遮断装置のブロック図である。
【００４８】
本実施の形態の構成が実施の形態１および実施の形態２と異なる点は、警報器５０がガス検出時間変更手段５１を備えている点であり、ガス検出時間変更手段５１はガス検出手段４４が検出するガス濃度によりガス漏れを検出する時間を変更する手段である。
【００４９】
ガス検出手段４４はガス濃度を所定時間測定し、所定時間内に測定したガス濃度の平均値を検出濃度として出力するものである。そのため、測定時間内にガス濃度が変化した場合、変化前と変化後のガス濃度で平均化されるため、変化後のガス濃度が正しく出力されるまでに遅れが発生する可能性があり、本実施の形態は遅れの発生を抑制することができるものである。
【００５０】
まず、ガス漏れ検出手段３３は、ガス流量検出手段３６から伝えられたガス流量と使用時間等の情報からガス配管内のガス漏れを検出した場合にガスメータ制御手段３２に伝える。ガスメータ制御手段３２は、ガスメータ送信手段３４にガス漏れ検出信号を伝える。ガスメータ送信手段３４は警報器５０の警報器受信手段４２にガスメータ３０がガス漏れを検出したガス漏れ検出信号を送信する。
【００５１】
警報器受信手段４２は、ガスメータ３０がガス漏れを検出したガス漏れ検出信号をガス検出閾値変更手段４３とガス検出時間変更手段５１に伝える。
【００５２】
ガス検出閾値変更手段４３は、ガス漏れ検出信号に基づき、ガス漏れを検出した場合に対応するために予め設定された検出閾値のレベルを下げる。また、ガス検出時間変更手段５１は、ガスメータ３０がガス漏れを検出した場合に対応するために予め設定されたガス検出時間を短くする。
【００５３】
ガス検出手段４４は、ガス検出閾値変更手段４３により変更された検出レベルと、ガス検出時間変更手段５１により変更された検出時間に従ってガスの濃度を測定し、警報器送信手段４１は、複数の検出レベルに応じた信号をガスメータ３０のガスメータ受信手段３５に送信する。
【００５４】
ガスメータ受信手段３５は、警報器５０より受信した検出閾値の検出レベルに応じた信号をガスメータ制御手段３２に伝える。複数の検出レベルよりガス漏れ未検出時とガス漏れ検出時の検出レベルの信号を区別する。ガス漏れ検出時はガス漏れ未検出時よりもガス検出レベルを下げた信号で判定し、判定レベルを超えていれば遮断手段３１へ弁遮断の信号を出力しガスを遮断する。
【００５５】
このように、ガスメータ３０のガス漏れ検出手段３３によりガス配管内のガス漏れを検出した際に警報器５０は低い検出閾値でガスを検出しやすくすることで、早期にガス漏れを検出することが可能となる。
【００５６】
また、ガスメータ３０がガス漏れ検出時に、ガス検出レベルを下げるガス検出閾値変更手段４３を備えておらず、ガス検出時間変更手段５１によるガス検出時間の短縮だけでも効果がある。
【００５７】
（実施の形態４）
図５は、本発明の実施の形態４におけるガス遮断装置のブロック図である。
【００５８】
本実施の形態の構成が実施の形態３と異なる点は、警報器６０が表示手段６１と報知手段を備えている点であり、表示手段６１は、ＬＥＤやＬＣＤ等により警報器６０でガス漏れ検出した時に点灯もしくは点滅する手段である。また、報知手段６２は、ブザー等により警報器６０でガス漏れ検出した時に報知する手段である。
【００５９】
まず、ガス漏れ検出手段３３は、ガス流量検出手段３６から伝えられたガス流量と使用時間等の情報からガス配管内のガス漏れを検出した場合にガスメータ制御手段３２に伝える。ガスメータ制御手段３２は、ガスメータ送信手段３４にガス漏れ検出したことを伝える。ガスメータ送信手段３４は警報器６０の警報器受信手段４２にガスメータ３０がガス漏れ検出した信号を警報器受信手段４２に送信する。
【００６０】
警報器受信手段４２は、ガスメータ３０がガス漏れ検出したことをガス検出閾値変更手段４３とガス検出時間変更手段５１に伝える。ガス検出閾値変更手段４３は、ガス漏れを検出した場合のガス検出レベルを下げる。また、ガス検出時間変更手段５１は、ガスメータ３０がガス漏れ検出した場合のガス検出時間を短くする。
【００６１】
ガス検出手段４４は、ガス検出閾値変更手段４３の検出レベルとガス検出時間変更手段５１に従ってガスの濃度および検出時間を測定し警報器送信手段４１より出力信号をガスメータ３０のガスメータ受信手段３５に送信する。
【００６２】
ガスメータ受信手段３５は、警報器６０より受信した出力信号をガスメータ制御手段３２に伝える。ガスメータ制御手段３２は受信した出力信号が、検出レベルを超えていれば遮断手段３１へ弁遮断の信号を出力しガスを遮断する。
【００６３】
ガスを遮断した際に警報器６０は、表示手段６１によりＬＥＤやＬＣＤ等を点灯もしくは点滅させ、報知手段６２によりブザー等により報知させる。これによってガスメータ３０からのガス漏れ信号により警報器６０がガス漏れ検出しやすくしてガス漏れ検出した場合に、警報器６０の表示手段６１と報知手段６２によりガス漏れを検出したことを視覚的な表示と音による報知をすることで、早期にガス漏れ箇所を特定することが可能となる。
【００６４】
なお、本実施の形態においては、警報器６０は表示手段６１と報知手段６２の両方を備える構成としたが、これに限るものではなく、表示手段６１と報知手段６２のいずれか一方を備えた構成であってもよい。
【００６５】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６６】
以上のように、本発明にかかるガス遮断装置は、ガスメータ、警報器の各信号の伝達により実現できることから各信号を中継箇所に集中し制御する方式にも適用できる。
【符号の説明】
【００６７】
３０  ガスメータ
３１  遮断手段
３２  ガスメータ制御手段
３３  ガス漏れ検出手段
３４  ガスメータ送信手段
３５  ガスメータ受信手段
３６  ガス流量検出手段
４０、５０、６０  警報器
４１  警報器送信手段
４２  警報器受信手段
４３  ガス検出閾値変更手段
４４  ガス検出手段
５１  ガス検出時間変更手段
６１  表示手段
６２  報知手段
【図１】
0005824623.tif 000002
【図２】
0005824623.tif 000003
【図３】
0005824623.tif 000004
【図４】
0005824623.tif 000005
【図５】
0005824623.tif 000006
【図６】
0005824623.tif 000007
【図７】
0005824623.tif 000008